(57)【要約】【課題】  本考案は、放射効率の良いループアンテナのループエレメントを得ることにある。【解決手段】  ループエレメントを、形状維持部材と導体部材の組み合わせとし、形状維持部材であるプラスチックパイプや弾力性のあるグラスファイバーポールのループに、導体部材の筒編組金属線を被せ通す構造とすることで、放射効率の良いループアンテナのループエレメントを得ている。【選択図】図１
2019068393.tif 000002
【特許請求の範囲】
【請求項１】
筒編組金属線の中に、プラスチックパイプや弾力性のあるグラスファイバーポールのループを通す構造を特徴とするループアンテナのループエレメント。
【請求項２】
プラスチックパイプやグラスファイバーポールを適切な長さに分割し、それぞれに接続部を設けてループを構成し、それを筒編組金属線の中に通す構造を特徴とするループアンテナのループエレメント。
【発明の詳細な説明】
【技術分野】
【０００１】  本考案は無線通信に用いるループ型アンテナのループエレメントの製造方法に関するものである。
【背景技術】
【０００２】  無線通信に用いるアンテナは、小型で高性能の物が要望されているが、ＨＦ帯においては波長が長く小型化が難しい。そんな中においてループ型アンテナは、ループの途中にコンデンサを入れて共振させる事で、ループエレメントの周囲長を１／１０波長以下まで短くし、小型化することができる。【０００３】  小型化のため、波長に比べループエレメントの周囲長を短くすると、［数２］で示すように短縮率［数１］の二乗に比例して放射抵抗が小さくなる。そのため［数３］で示すように、放射抵抗に比べ損失抵抗が大きくなり放射効率は低下するので、許容される範囲で短縮率を大きく設定する。【０００４】  主な損失抵抗はエレメントの抵抗成分であるが、高周波の場合は表皮効果のため、表面から数十ミクロンの深さまでの導電率が重要で、ループエレメントの内部が充実している必要はない。【０００５】  ループエレメントには、主に金属ワイヤーが用いられるが、小型化する場合はループエレメントの断面積を大きくし、損失抵抗を減らすため金属パイプや金属板、あるいは１０ＤＦＢ等の太い同軸ケーブル等が用いられる。【０００６】  １０ＭＨｚの波長は約３０ｍあり、ループアンテナのループ周囲長を１／１０波長に短縮しても直径は約１ｍにもなる。そのため１０ＭＨｚ以下の低い周波数では形状を維持しての運搬が困難になる。対策としてエレメントループを複数巻にし、直径を小さくする方法もある。【０００７】  １０ＭＨｚ以上の周波数で充分なアンテナ設置環境がある場合も、放射効率を良くするため短縮率を低くすると直径が１ｍを超え、形状を維持しての運搬が困難となるので短縮率設定に限界がある。
【発明の概要】
【発明が解決しようとする課題】
【０００８】  ループアンテナの小型化による放射効率低下を避けるため、ループエレメントの断面積を大きくし損失抵抗を下げようとすると、金属パイプや金属板等の曲げ加工が難しくなるので断面積の大きさに限界があった。【０００９】  １０ＭＨｚより低い周波数おいてはコンデンサにより短縮してもまだ長く、重くなるので形状を維持しての運搬が困難で、使用できる周波数に限界があった。ループエレメントを分割構造にする方法もあるが、継ぎ目の接触抵抗による損失抵抗増加の問題があった。
【課題を解決するための手段】
【００１０】  ループエレメントを、形状維持部材に導体部材を被せる構造とし、導体部材として軽量で柔軟性があり、高周波伝送に使用する同軸ケーブルの外部導体として広く用いられている筒編組金属線を使用する。【００１１】  形状維持部材には、軽量で曲げ加工が容易なプラスチックパイプをループ状に曲げたものや、軽量で弾力性のあるグラスファイバーポールをループ状に曲げて使用し、所定の断面積とループ形状を維持する。
【発明の効果】
【００１２】  導体部材の筒編組金属線の中に、プラスチックパイプや弾力性のあるグラスファイバーポール製のループを通す構造とする事で、金属ワイヤーよりも大きい断面積と、ループ形状の維持が可能となり、金属の曲げ加工上の問題や重量の問題が解決される。【００１３】  また、筒編組金属線は同種金属パイプより軽量で柔軟性があり、巻き取ることで小さくできるので、ループエレメントの直径が１ｍを超え運搬が困難なほど大きい場合も、接続部を設けて分割する必要がなく、接続部の接触抵抗による損失の問題が解決される。【００１４】  ループエレメントの直径が１ｍを超え運搬が困難なとなる場合は、形状維持部材であるプラスチックパイプやグラスファイバーポールを適切な長さに分割し、それぞれに接続部を設けてループを構成し、それを筒編組金属線の中に通す構造とする事で、運搬上の問題が解決される。
【図面の簡単な説明】
【００１５】
【図１】本考案を実施ししたループエレメントの形態である。
【図２】金属製端子とその開口部、および形状維持部材の接合状態を示す図である。
【図３】ループエレメントを複数巻とした時の形態を示す図である。
【図４】筒編組金属線を伸縮した場合の状態を示す図である。
【発明を実施するための形態】
【００１６】  以下、本考案の実施の形態を図に基づいて説明する。
【実施例１】
【００１７】  図１は本考案を実施したループエレメントを示すもので、導体部材である筒編組金属線Ａは、径が所定の寸法に近くなるようあらかじめ図４の様に伸縮させ、そのうえで所定の長さに切断する。筒編組金属線Ａの両端には金属製端子Ｄを接合し、形状維持部材が通せるよう図２に示す開口部Ｆを設け、共振コンデンサＥの接続端子とする。【００１８】  形状維持部材である所定の曲げ加工を加えたプラスチックパイプや弾力性のあるグスファイバーポールＢは、導体部材である筒編組金属線Ａの所定の径よりも細くする。ループ途中には継ぎ目を設け、結合部材Ｃで接合できる構造とし、組み立て時は結合を外しておく。【００１９】  導体部材の筒編組金属線Ａを順送りで形状維持部材Ｂに被せ通し、全部通し終えた後ち形状維持材Ｂの継ぎ目を結合部材Ｃで結合し、筒編組金属線Ａの両端は金属製端子Ｄを介して共振コンデンサＥを接続しループエレメントとする。
【実施例２】
【００２０】  図１の形状維持部材Ｂを、円周に沿って図２の様に複数の適切な長さに分割し、それぞれに接続部材Ｃを設けて接続する事でループを構成し、実施例１と同様に形状維持部材Ｂに筒編組金属線Ａを被せ通しループエレメントとする。
【実施例３】
【００２１】  図３の様に形状維持部材Ｂを複数巻とし、実施例１と同様に形状維持部材Ｂに筒編組金属線Ａを被せ通しループエレメントとする。【００２２】
【数１】
2019068393.tif 000003
【００２３】
【数２】
2019068393.tif 000004
【００２４】
【数３】
2019068393.tif 000005
【産業上の利用可能性】
【００２５】  アンテナを製造する産業で利用される。
【符号の説明】
【００２６】（図１）
符号Ａ  導体部材
符号Ｂ  形状維持部材
符号Ｃ  結合部材
符号Ｄ  パイプ状金属製端子
符号Ｅ  共振コンデンサ【００２７】（図２）
符号Ａ  導体部材
符号Ｂ  形状維持部材
符号Ｃ  結合部材
符号Ｄ  パイプ状金属製端子
符号Ｆ  金属製端子Ｄの開口部【００２８】（図３）
符号Ｇ  筒編組金属線の平常状態を示す。
符号Ｈ  筒編組金属線を収縮した場合を示す。
符号Ｉ  筒編組金属線を伸長した場合を示す。
【図１】
2019068393.tif 000006
【図２】
2019068393.tif 000007
【図３】
2019068393.tif 000008
【図４】
2019068393.tif 000009